【誤訳訂正書】
【提出日】平成21年7月15日(2009.7.15)
【誤訳訂正１】
【訂正対象書類名】明細書
【訂正対象項目名】特許請求の範囲
【訂正方法】変更
【訂正の内容】
【特許請求の範囲】
【請求項１】
式Ｉ
【化１】
2002518406.tif 000001
｛式中、Ａ〜Ｌは下記のアミノ酸残基を示す：
Ａは式ＩＩ
【化２】
2002518406.tif 000002
（式中、Ｒ１は（Ｅ）−２−ブテニル−１である。）
で表わされる（Ｌ）−α−Ｎ−メチルアミノ−β−ヒドロキシ酸であり、
Ｂはα−アミノ−酪酸、α−アミノ−バレリアン酸（ノルバリン）、スレオニン又はバリンであり、
Ｃは、式ＩＩＩ
【化３】
2002518406.tif 000003
（式中、Ｘは、Ｏ−Ｒ３であり，    
Ｒ３は、水素、メチル、エチル、プロピル、イソプロピル、ｎ−ブチル、ｓ−ブチル、イソブチル、ｔ−ブチル、１−ペンチル、２−ペンチル、３−ペンチル、イソペンチル、ｔ−ペンチル、ネオペンチル、ホルミル、アセチル、プロピオニル、ブチリル、ピバロイル、ベンゾイル、アルコキシカルボニルであり、
上記基は、置換されていないか又はヒドロキシ、メトキシ、エトキシ、プロポキシ、イソプロポキシ、ハロゲン、カルボキシ、カルボアミド、
アミノ、メチルアミノ、エチルアミノ、ｎ−プロピルアミノ、イソプロピルアミノ、ｎ−ブチルアミノ、イソブチルアミノ、ｓ−ブチルアミノ，ｔ−ブチルアミノ，
Ｎ，Ｎ−ジメチルアミノ、Ｎ−メチル−Ｎ−エチルアミノ、Ｎ，Ｎ−ジエチルアミノ、Ｎ−プロピル−Ｎ−メチルアミノ、Ｎ−メチル−Ｎ−イソプロピルアミノ、ジプロピルアミノ、ジイソプロピルアミノ、Ｎ−ブチル−Ｎ−メチルアミノ及びその異性体、Ｎ−ブチル−Ｎ−エチルアミノ及びその異性体、Ｎ−ブチル−Ｎ−プロピルアミノ及びその異性体、Ｎ，Ｎ−ジブチルアミノ及びその異性体、
アゼチジン、ピロリジン、ピペリジン、モルホリン、ピペラジン、Ｎ’−アルキルピペラジン、Ｎ−ホルミルアミノ、Ｎ−アセチルアミノ、Ｎ−ｔ−ブトキシカルボニル−アミノ、Ｎ−ベンジルオキシカルボニル−アミノ、Ｎ−フタロイルによって置換されている。）
で表わされる置換されたサルコシンであるか、又は
式ＶＩ
［Ｈ−Ｎ+ （ＣＨ3 ）＝ＣＨ−ＣＯ−ＯＨ］Ｙ- 
（式中、Ｙ -  はアニオンである。）
で表わされる残基であり、
ＤはＮ−メチル−ロイシン、Ｎ−メチル−バリン、又はＮ−メチル−イソロイシンであり、
Ｅはバリンであり、
ＦはＮ−メチル−ロイシンであり、
Ｇはアラニンであり、
Ｈはグリシン、（Ｄ）−アラニン、（Ｄ）−セリン、Ｏ−ヒドロキシエチル−（Ｄ）−セリンであり、
Ｉ、ＫはＮ−メチル−ロイシンであり、
ＬはＮ−メチル−バリンである。｝
で表わされる化合物又はその薬学的に許容し得る塩。
【請求項２】
Ｃが式ＩＩＩで表わされる置換されたサルコシン（式中、Ｘは−ＳＲ３である。）である式Ｉの化合物において、この−ＳＲ３が−ＯＲ３に換えられる、請求項１記載の式Ｉで表わされる化合物の合成方法。
【請求項３】
式ＩＩＩの置換基ＯＲ３が別の置換基ＯＲ３によって置換される、請求項１記載の式I で表わされる化合物の合成方法。
【請求項４】
請求項１記載の式Ｉの化合物又はその薬学的に許容し得る塩の、シクロフィリンの阻害のための薬学的組成物の製造への使用。
【請求項５】
細菌、カビ、ウイルス病原体によって、並びに原生動物寄生虫及び蠕虫によって引き起こされる伝染病の治療のための、請求項４記載の薬学的組成物の製造への使用。
【請求項６】
慢性炎症性疾患及び自己免疫疾患の治療のための、請求項４記載の薬学的組成物の製造への使用。
【請求項７】
外傷及び再灌流障害の治療のための、請求項４記載の薬学的組成物の製造への使用。
【請求項８】
組織再生プロセスを誘発するための、請求項４記載の薬学的組成物の製造への使用。
【請求項９】
ヒト免疫不全ウイルス（ＨＩＶ) の治療のための、請求項４記載の薬学的組成物の製造への使用。
【誤訳訂正２】
【訂正対象書類名】明細書
【訂正対象項目名】００５９
【訂正方法】変更
【訂正の内容】
【００５９】
例２２に記載された処理方法にしたがい、そして以下のアルコールを用いて、下記の化合物が得られる：
例      アルコール                    生成物
23 N-Boc-2- アミノエタノール    [D-Sar-(2-(N-Boc-3-アミノエトキシ))3]-シクロスポ
リン
24                              [D-Sar-(2-(3-アミノエトキシ))3]-シクロスポリン
25 N-Boc-5- アミノペンタノール  [D-Sar-(2-(N-Boc-3-アミノペントキシ))3]-シクロス
ポリン
26                              [D-Sar-(2-(3-アミノペントキシ))3]-シクロスポリン
27 N,N- ジメチル- アミノ-       [D-Sar-(2-(N,N-ジメチルアミノエトキシ))3エタノー
ル]-シクロスポリン
28 N,N- ジエチル- アミノ-       [D-Sar-(2-(N,N-ジエチルアミノエトキシ))3エタノー
ル]-シクロスポリン
29 N- メチル-N-(1,1-ジメチル-   [D-Sar-(2-(N-メチル-N-(1,1-ジメチル-エチル）- ア
ミノエタノールエチル）-2-アミノエトキシ))3]-シク
ロスポリン
30 N- フタロイル- アミノ-       [D-Sar-(2-(N-フタルイミド-2-アミノエトキエタノー
ルシ))3]- シクロスポリン
31 N-Boc-2- アミノ-3-           [D-Sar-(2-(N-Boc-2- アミノ-3- フェニル-フェニル
プロパノールプロポキシ))3]- シクロスポリン
32 N-Boc-2- ヒドロキシメチル-   [D-Sar-(2-(N-Boc- ピロリジン-2- イル）- ピロリジ
ンメトキシ))3]- シクロスポリン
33                              [D-Sar-(2-(ピロリジン-2-イル）-メトキシ))3]-シク
ロスポリン
34 N- メチル-4-                 [D-Sar-(2-(N-メチル-ピペリジン-4-イル）-ヒドロキ
シピペリジンオキシ)3]-シクロスポリン
35 N- メチル-3- ヒドロキシ-     [D-Sar-(2-(N-メチル-アゼチジン-3-イル）-アゼチジ
ンオキシ)3]-シクロスポリン
これらの化合物の特徴的ＮＭＲシグナルは、下記の通りである：
例              生成物                              δ(H3)    δ(C3)
(CDCl3)     (CDCl3)
23  [D-Sar-(2-(N-Boc-3-アミノエトキシ))3]- 
シクロスポリン                                    5.96       82.01
24  [D-Sar-(2-(3-アミノエトキシ))3]-シクロスポリン    5.92       81.53
25  [D-Sar-(2-(N-Boc-3-アミノペントキシ))3]-シクロ
スポリン                                          5.95       81.76
26  [D-Sar-(2-(3-アミノペントキシ))3]-シクロスポリン  5.94       81.73
27  [D-Sar-(2-(N,N- ジメチルアミノ- エトキシ))3]-
シクロスポリン                                   5.89       80.63
28  [D-Sar-(2-(N,N- ジエチルアミノ- エトキシ))3]-
シクロスポリン                                   5.88       80.54
29  [D-Sar-(2-(N-メチル-N-(1,1-ジメチル-エチル）-
2- アミノエトキシ))3]-シクロスポリン              5.84       80.13
30  [D-Sar-(2-(N-フタルイミド-2- アミノ-エトキシ))3]
- シクロスポリン                                  5.99       82.12
31  [D-Sar-(2-(N-Boc-2-アミノ-3- フェニル-プロポキシ
))3]- シクロスポリン                              5.96       81.89
32  [D-Sar-(2-(N-Boc-ピロリジン-2- イル）- メトキシ
))3]- シクロスポリン                              5.87       79.46
33  [D-Sar-(2-(ピロリジン-2- イル）- メトキシ))3]-
シクロスポリン                                   5.85       79.32
34  [D-Sar-(2-(N-メチル- ピペリジン-4- イル）-
オキシ)3]-シクロスポリン                        5.85        79.32
35  [D-Sar-(2-(N- メチル- アゼチジン-3- イル）- 
オキシ)3]-シクロスポリン                          6.03       78.50
例１の条件下で、下記の化合物を得ることができる：
3-(2- ヒドロキシエチル）チオ- シクロスポリン
3-(3- ヒドロキシプロピル）チオ- シクロスポリン
3-(2- アミノエチル）チオ- シクロスポリン
3-(2- メチルアミノエチル）チオ- シクロスポリン
3-(2- エチルアミノエチル）チオ- シクロスポリン
3-(2- エチル-N- メチルアミノエチル）チオ- シクロスポリン
3-(2- ジエチルアミノエチル）チオ- シクロスポリン
3-(2-n- プロピルアミノエチル）チオ- シクロスポリン
3-(2- イソプロピルアミノエチル）チオ- シクロスポリン
3-(2- シクロプロピルアミノエチル）チオ- シクロスポリン
3-(2-n- プロピル- メチルアミノエチル）チオ- シクロスポリン
3-(2-n- プロピル- エチルアミノエチル）チオ- シクロスポリン
3-(2- メチル- イソプロピルアミノエチル）チオ- シクロスポリン
3-(2- メチルシクロプロピルアミノエチル）チオ- シクロスポリン
3-(2- エチル- イソプロピルアミノエチル）チオ- シクロスポリン
3-(2- ジイソプロピルアミノエチル）チオ- シクロスポリン
3-(2-n- プロピル- イソプロピルアミノエチル）チオ- シクロスポリン
3-(2-n- ブチルアミノエチル）チオ- シクロスポリン
3-(2-s- ブチルアミノエチル）チオ- シクロスポリン
3-(2- イソブチルアミノエチル）チオ- シクロスポリン
3-(2-t- ブチルアミノエチル）チオ- シクロスポリン
3-(2-n- ブチル- メチルアミノエチル）チオ- シクロスポリン
3-(2-n- ブチル- エチルアミノエチル）チオ- シクロスポリン
3-(2-n- ブチル- イソプロピルアミノエチル）チオ- シクロスポリン
3-(2-s- ブチル- メチルアミノエチル）チオ−シクロスポリン
3-(2-s- ブチル- エチルアミノエチル）チオ−シクロスポリン
3-(2-s- ブチル- イソプロピルアミノエチル）チオ−シクロスポリン
3-(2-t- ブチル- メチルアミノエチル）チオ- シクロスポリン
3-(2-t- ブチル- エチルアミノエチル）チオ- シクロスポリン
3-(2-t- ブチル- イソプロピルアミノエチル）チオ- シクロスポリン
3-(2- アゼチジノエチル）チオ- シクロスポリン
3-(2- ピロリジノエチル）チオ- シクロスポリン
3-(2- ピペリジノエチル）チオ- シクロスポリン
3-(2- モルホリノエチル）チオ- シクロスポリン
3-(2- ピペラジノエチル）チオ- シクロスポリン
3-(2-N- メチルピペラジノエチル）チオ- シクロスポリン
3-(2-N-t- ブチルピペラジノエチル）チオ- シクロスポリン
3-(3- アゼチジニル）チオ- シクロスポリン
3-(N- メチル-3- アゼチジニル）チオ- シクロスポリン
3-(N- メチル-3- アゼチジニル）チオ- シクロスポリン
3-(N- イソプロピル-3- アゼチジニル）チオ- シクロスポリン
3-(3- ピロリジニル）チオ- シクロスポリン
3-(N- メチル-3- ピロリジニル）チオ- シクロスポリン
3-(N- メチル-3- ピロリジニル）チオ- シクロスポリン
3-(N- イソプロピル-3- ピロリジニル）チオ- シクロスポリン
3-(4- ピペリジニル）チオ- シクロスポリン
3-(N- メチル-4- ピペリジニル）チオ- シクロスポリン
3-(N- メチル-4- ピペリジニル）チオ- シクロスポリン
3-(N- イソプロピル-4- ピペリジニル）チオ- シクロスポリン
3-(2- ヒドロキシエチル）チオ-2- バリン- シクロスポリン
3-(3- ヒドロキシプロピル）チオ-2- バリン- シクロスポリン
3-(2- アミノエチル）チオ-2- バリン- シクロスポリン
3-(2- メチルアミノエチル）チオ-2- バリン- シクロスポリン
3-(2- エチルアミノエチル）チオ-2- バリン- シクロスポリン
3-(2- エチル-N- メチルアミノエチル）チオ−２−バリン−シクロスポリン
3-(2- ジエチルアミノエチル）チオ−２−バリン−シクロスポリン
3-(2-n- プロピルアミノエチル）チオ−２−バリン−シクロスポリン
3-(2- イソプロピルアミノエチル）チオ−２−バリン−シクロスポリン
3-(2- シクロプロピルアミノエチル）チオ−２−バリン−シクロスポリン
3-(2-n- プロピル- メチルアミノエチル）チオ−２−バリン−シクロスポリン
3-(2-n- プロピル- エチルアミノエチル）チオ−２−バリン−シクロスポリン
3-(2- メチル- イソプロピルアミノエチル）チオ−２−バリン−シクロスポリン
3-(2- メチルシクロプロピルアミノエチル）チオ−２−バリン−シクロスポリン
3-(2- エチル- イソプロピルアミノエチル）チオ−２−バリン−シクロスポリン
3-(2- ジイソプロピルアミノエチル）チオ−２−バリン−シクロスポリン
3-(2-n- プロピル- イソプロピルアミノエチル）チオ−２−バリン−シクロスポリン
3-(2-n- ブチルアミノエチル）チオ−２−バリン−シクロスポリン
3-(2-s- ブチルアミノエチル）チオ−２−バリン−シクロスポリン
3-(2- イソブチルアミノエチル）チオ−２−バリン−シクロスポリン
3-(2-t- ブチルアミノエチル）チオ−２−バリン−シクロスポリン
3-(2-n- ブチル- メチルアミノエチル）チオ−２−バリン−シクロスポリン
3-(2-n- ブチル- エチルアミノエチル）チオ−２−バリン−シクロスポリン
3-(2-n- ブチル- イソプロピルアミノエチル）チオ−２−バリン−シクロスポリン
3-(2-s- ブチル- メチルアミノエチル）チオ−２−バリン−シクロスポリン
3-(2-s- ブチル- エチルアミノエチル）チオ−２−バリン−シクロスポリン
3-(2-s- ブチル- イソプロピルアミノエチル）チオ−２−バリン−シクロスポリン
3-(2-t- ブチル- メチルアミノエチル）チオ−２−バリン−シクロスポリン
3-(2-t- ブチル- エチルアミノエチル）チオ−２−バリン−シクロスポリン
3-(2-t- ブチル- イソプロピルアミノエチル）チオ−２−バリン−シクロスポリン
3-(2- アゼチジノエチル）チオ−２−バリン−シクロスポリン
3-(2- ピロリジノエチル）チオ−２−バリン−シクロスポリン
3-(2- ピペリジノエチル）チオ−２−バリン−シクロスポリン
3-(2- モルホリノエチル）チオ−２−バリン−シクロスポリン
3-(2- ピペラジノエチル）チオ−２−バリン−シクロスポリン
3-(2-N- メチルピペラジノエチル）チオ−２−バリン−シクロスポリン
3-(2-N-t- ブチルピペラジノエチル）チオ−２−バリン−シクロスポリン
3-(3- アゼチジニル）チオ−２−バリン−シクロスポリン
3-(N- メチル-3- アゼチジニル）チオ−２−バリン−シクロスポリン
3-(N- メチル-3- アゼチジニル）チオ−２−バリン−シクロスポリン
3-(N- イソプロピル-3- アゼチジニル）チオ−２−バリン−シクロスポリン
3-(3- ピロリジニル）チオ−２−バリン−シクロスポリン
3-(N- メチル-3- ピロリジニル）チオ−２−バリン−シクロスポリン
3-(N- メチル-3- ピロリジニル）チオ−２−バリン−シクロスポリン
3-(N- イソプロピル-3- ピロリジニル）チオ−２−バリン−シクロスポリン
3-(4- ピペリジニル）チオ−２−バリン−シクロスポリン
3-(N- メチル-4- ピペリジニル）チオ−２−バリン−シクロスポリン
3-(N- メチル-4- ピペリジニル）チオ−２−バリン−シクロスポリン
3-(N- イソプロピル-4- ピペリジニル）チオ−２−バリン−シクロスポリン
3-(2- ヒドロキシエチル）チオ-4- （γ- ヒドロキシ- メチルロイシン）- シクロスポリン
3-(3- ヒドロキシプロピル）チオ-4- （γ- ヒドロキシ- メチルロイシン）- シクロスポリン
3-(2- アミノエチル）チオ-4- （γ- ヒドロキシ- メチルロイシン）- シクロスポリン
3-(2- メチルアミノエチル）チオ-4-(γ- ヒドロキシ−メチルロイシン）- シクロスポリン
3-(2- エチルアミノエチル）チオ-4-(γ- ヒドロキシ−メチルロイシン）- シクロスポリン
3-(2- エチル-N- メチルアミノエチル）チオ-4-(γ- ヒドロキシ−メチルロイシン）- シクロスポリン
3-(2- ジエチルアミノエチル）チオ-4-(γ- ヒドロキシ−メチルロイシン）- シクロスポリン
3-(2-n- プロピルアミノエチル）チオ-4-(γ- ヒドロキシ−メチルロイシン）- シクロスポリン
3-(2- イソプロピルアミノエチル）チオ-4-(γ- ヒドロキシ−メチルロイシン）- シクロスポリン
3-(2- シクロプロピルアミノエチル）チオ-4-(γ- ヒドロキシ−メチルロイシン）- シクロスポリン
3-(2-n- プロピル- メチルアミノエチル）チオ-4-(γ- ヒドロキシ−メチルロイシン）- シクロスポリン
3-(2-n- プロピル- エチルアミノエチル）チオ-4-(γ- ヒドロキシ−メチルロイシン）- シクロスポリン
3-(2- メチル- イソプロピルアミノエチル）チオ-4-(γ- ヒドロキシ−メチルロイシン）- シクロスポリン
3-(2- メチルシクロプロピルアミノエチル）チオ-4-(γ- ヒドロキシ−メチルロイシン）- シクロスポリン
3-(2- エチル- イソプロピルアミノエチル）チオ-4-(γ- ヒドロキシ−メチルロイシン）- シクロスポリン
3-(2- ジイソプロピルアミノエチル）チオ-4-(γ- ヒドロキシ−メチルロイシン）- シクロスポリン
3-(2-n- プロピル- イソプロピルアミノエチル）チオ-4-(γ- ヒドロキシ−メチルロイシン）- シクロスポリン
3-(2-n- ブチルアミノエチル）チオ-4-(γ- ヒドロキシ−メチルロイシン）- シクロスポリン
3-(2-s- ブチルアミノエチル）チオ-4-(γ- ヒドロキシ−メチルロイシン）- シクロスポリン
3-(2- イソブチルアミノエチル）チオ-4-(γ- ヒドロキシ−メチルロイシン）- シクロスポリン
3-(2-t- ブチルアミノエチル）チオ-4-(γ- ヒドロキシ−メチルロイシン）- シクロスポリン
3-(2-n- ブチル- メチルアミノエチル）チオ-4-(γ- ヒドロキシ−メチルロイシン）- シクロスポリン
3-(2-n- ブチル- エチルアミノエチル）チオ-4-(γ- ヒドロキシ−メチルロイシン）- シクロスポリン
3-(2-n- ブチル- イソプロピルアミノエチル）チオ-4-(γ- ヒドロキシ−メチルロイシン）- シクロスポリン
3-(2-s- ブチル- メチルアミノエチル）チオ-4-(γ- ヒドロキシ−メチルロイシン）−シクロスポリン
3-(2-s- ブチル- エチルアミノエチル）チオ-4-(γ- ヒドロキシ−メチルロイシン）−シクロスポリン
3-(2-s- ブチル- イソプロピルアミノエチル）チオ-4-(γ- ヒドロキシ−メチルロイシン）−シクロスポリン
3-(2-t- ブチル- メチルアミノエチル）チオ-4-(γ- ヒドロキシ−メチルロイシン）- シクロスポリン
3-(2-t- ブチル- エチルアミノエチル）チオ-4-(γ- ヒドロキシ−メチルロイシン）- シクロスポリン
3-(2-t- ブチル- イソプロピルアミノエチル）チオ-4-(γ- ヒドロキシ−メチルロイシン）- シクロスポリン
3-(2- アゼチジノエチル）チオ-4-(γ- ヒドロキシ−メチルロイシン）- シクロスポリン
3-(2- ピロリジノエチル）チオ-4-(γ- ヒドロキシ−メチルロイシン）- シクロスポリン
3-(2- ピペリジノエチル）チオ-4-(γ- ヒドロキシ−メチルロイシン）- シクロスポリン
3-(2- モルホリノエチル）チオ-4-(γ- ヒドロキシ−メチルロイシン）- シクロスポリン
3-(2- ピペラジノエチル）チオ-4-(γ- ヒドロキシ−メチルロイシン）- シクロスポリン
3-(2-N- メチルピペラジノエチル）チオ-4-(γ- ヒドロキシ−メチルロイシン）- シクロスポリン
3-(2-N-t- ブチルピペラジノエチル）チオ-4-(γ- ヒドロキシ−メチルロイシン）- シクロスポリン
3-(3- アゼチジニル）チオ-4-(γ- ヒドロキシ−メチルロイシン）- シクロスポリン
3-(N- メチル-3- アゼチジニル）チオ-4-(γ- ヒドロキシ−メチルロイシン）- シクロスポリン
3-(N- メチル-3- アゼチジニル）チオ-4-(γ- ヒドロキシ−メチルロイシン）- シクロスポリン
3-(N- イソプロピル-3- アゼチジニル）チオ-4-(γ- ヒドロキシ−メチルロイシン）- シクロスポリン
3-(3- ピロリジニル）チオ-4-(γ- ヒドロキシ−メチルロイシン）- シクロスポリン
3-(N- メチル-3- ピロリジニル）チオ-4-(γ- ヒドロキシ−メチルロイシン）- シクロスポリン
3-(N- メチル-3- ピロリジニル）チオ-4-(γ- ヒドロキシ−メチルロイシン）- シクロスポリン
3-(N- イソプロピル-3- ピロリジニル）チオ-4-(γ- ヒドロキシ−メチルロイシン）- シクロスポリン
3-(4- ピペリジニル）チオ-4-(γ- ヒドロキシ−メチルロイシン）- シクロスポリン
3-(N- メチル-4- ピペリジニル）チオ-4-(γ- ヒドロキシ−メチルロイシン）- シクロスポリン
3-(N- メチル-4- ピペリジニル）チオ-4-(γ- ヒドロキシ−メチルロイシン）- シクロスポリン
3-(N- イソプロピル-4- ピペリジニル）チオ-4-(γ- ヒドロキシ−メチルロイシン）- シクロスポリン
3-(2- ヒドロキシエチル）チオ-2- ノルバリン- シクロスポリン
3-(3- ヒドロキシプロピル）チオ-2- ノルバリン- シクロスポリン
3-(2- アミノエチル）チオ-2- ノルバリン−シクロスポリン
3-(2- メチルアミノエチル）チオ-2- ノルバリン- シクロスポリン
3-(2- エチルアミノエチル）チオ-2- ノルバリン- シクロスポリン
3-(2- エチル-N- メチルアミノエチル）チオ-2- ノルバリン- シクロスポリン
3-(2- ジエチルアミノエチル）チオ-2- ノルバリン- シクロスポリン
3-(2-n- プロピルアミノエチル）チオ-2- ノルバリン- シクロスポリン
3-(2- イソプロピルアミノエチル）チオ-2- ノルバリン- シクロスポリン
3-(2- シクロプロピルアミノエチル）チオ-2- ノルバリン- シクロスポリン
3-(2-n- プロピル- メチルアミノエチル）チオ-2- ノルバリン- シクロスポリン
3-(2-n- プロピル- エチルアミノエチル）チオ-2- ノルバリン- シクロスポリン
3-(2- メチル- イソプロピルアミノエチル）チオ-2- ノルバリン- シクロスポリン
3-(2- メチルシクロプロピルアミノエチル）チオ-2- ノルバリン- シクロスポリン
3-(2- エチル- イソプロピルアミノエチル）チオ-2- ノルバリン- シクロスポリン
3-(2- ジイソプロピルアミノエチル）チオ-2- ノルバリン- シクロスポリン
3-(2-n- プロピル- イソプロピルアミノエチル）チオ-2- ノルバリン- シクロスポリン
3-(2-n- ブチルアミノエチル）チオ-2- ノルバリン- シクロスポリン
3-(2-s- ブチルアミノエチル）チオ-2- ノルバリン- シクロスポリン
3-(2- イソブチルアミノエチル）チオ-2- ノルバリン- シクロスポリン
3-(2-t- ブチルアミノエチル）チオ-2- ノルバリン- シクロスポリン
3-(2-n- ブチル- メチルアミノエチル）チオ-2- ノルバリン- シクロスポリン
3-(2-n- ブチル- エチルアミノエチル）チオ-2- ノルバリン- シクロスポリン
3-(2-n- ブチル- イソプロピルアミノエチル）チオ-2- ノルバリン- シクロスポリン  
3-(2-s- ブチル- メチルアミノエチル）チオ-2- ノルバリン- シクロスポリン
3-(2-s- ブチル- エチルアミノエチル）チオ-2- ノルバリン- シクロスポリン
3-(2-s- ブチル- イソプロピルアミノエチル）チオ-2- ノルバリン−シクロスポリン  
3-(2-t- ブチル- メチルアミノエチル）チオ-2- ノルバリン- シクロスポリン
3-(2-t- ブチル- エチルアミノエチル）チオ-2- ノルバリン- シクロスポリン
3-(2-t- ブチル- イソプロピルアミノエチル）チオ-2- ノルバリン- シクロスポリン  
3-(2- アゼチジノエチル）チオ-2- ノルバリン- シクロスポリン
3-(2- ピロリジノエチル）チオ-2- ノルバリン- シクロスポリン
3-(2- ピペリジノエチル）チオ-2- ノルバリン- シクロスポリン
3-(2- モルホリノエチル）チオ-2- ノルバリン- シクロスポリン
3-(2- ピペラジノエチル）チオ-2- ノルバリン- シクロスポリン
3-(2-N- メチルピペラジノエチル）チオ-2- ノルバリン- シクロスポリン
3-(2-N-t- ブチルピペラジノエチル）チオ-2- ノルバリン- シクロスポリン
3-(3- アゼチジニル）チオ-2- ノルバリン- シクロスポリン
3-(N- メチル-3- アゼチジニル）チオ-2- ノルバリン- シクロスポリン
3-(N- メチル-3- アゼチジニル）チオ-2- ノルバリン- シクロスポリン
3-(N- イソプロピル-3- アゼチジニル）チオ-2- ノルバリン- シクロスポリン
3-(3- ピロリジニル）チオ-2- ノルバリン- シクロスポリン
3-(N- メチル-3- ピロリジニル）チオ-2- ノルバリン- シクロスポリン
3-(N- メチル-3- ピロリジニル）チオ-2- ノルバリン- シクロスポリン
3-(N- イソプロピル-3- ピロリジニル）チオ-2- ノルバリン- シクロスポリン
3-(4- ピペリジニル）チオ-2- ノルバリン- シクロスポリン
3-(N- メチル-4- ピペリジニル）チオ-2- ノルバリン- シクロスポリン
3-(N- メチル-4- ピペリジニル）チオ-2- ノルバリン- シクロスポリン
3-(N- イソプロピル-4- ピペリジニル）チオ-2- ノルバリン- シクロスポリン
3-(2- ヒドロキシエチル）チオ-4- メチルバリン- シクロスポリン
3-(3- ヒドロキシプロピル）チオ-4- メチルバリン- シクロスポリン
3-(2- アミノエチル）チオ-4- メチルバリン- シクロスポリン
3-(2- メチルアミノエチル）チオ-4- メチルバリン- シクロスポリン
3-(2- エチルアミノエチル）チオ-4- メチルバリン- シクロスポリン
3-(2- エチル-N- メチルアミノエチル）チオ-4- メチルバリン- シクロスポリン
3-(2- ジエチルアミノエチル）チオ-4- メチルバリン- シクロスポリン
3-(2-n- プロピルアミノエチル）チオ-4- メチルバリン- シクロスポリン
3-(2- イソプロピルアミノエチル）チオ-4- メチルバリン- シクロスポリン
3-(2- シクロプロピルアミノエチル）チオ-4- メチルバリン- シクロスポリン
3-(2-n- プロピル- メチルアミノエチル）チオ-4- メチルバリン- シクロスポリン
3-(2-n- プロピル- エチルアミノエチル）チオ-4- メチルバリン- シクロスポリン
3-(2- メチル- イソプロピルアミノエチル）チオ-4- メチルバリン- シクロスポリン  
3-(2- メチルシクロプロピルアミノエチル）チオ-4- メチルバリン- シクロスポリン
3-(2- エチル- イソプロピルアミノエチル）チオ-4- メチルバリン- シクロスポリン  
3-(2- ジイソプロピルアミノエチル）チオ-4- メチルバリン- シクロスポリン
3-(2-n- プロピル- イソプロピルアミノエチル）チオ-4- メチルバリン- シクロスポリン
3-(2-n- ブチルアミノエチル）チオ-4- メチルバリン- シクロスポリン
3-(2-s- ブチルアミノエチル）チオ-4- メチルバリン- シクロスポリン
3-(2- イソブチルアミノエチル）チオ-4- メチルバリン- シクロスポリン
3-(2-t- ブチルアミノエチル）チオ-4- メチルバリン- シクロスポリン
3-(2-n- ブチル- メチルアミノエチル）チオ-4- メチルバリン- シクロスポリン
3-(2-n- ブチル- エチルアミノエチル）チオ-4- メチルバリン- シクロスポリン
3-(2-n- ブチル- イソプロピルアミノエチル）チオ-4- メチルバリン- シクロスポリン
3-(2-s- ブチル- メチルアミノエチル）チオ-4- メチルバリン−シクロスポリン
3-(2-s- ブチル- エチルアミノエチル）チオ-4- メチルバリン−シクロスポリン
3-(2-s- ブチル- イソプロピルアミノエチル）チオ-4- メチルバリン−シクロスポリン
3-(2-t- ブチル- メチルアミノエチル）チオ-4- メチルバリン- シクロスポリン
3-(2-t- ブチル- エチルアミノエチル）チオ-4- メチルバリン- シクロスポリン
3-(2-t- ブチル- イソプロピルアミノエチル）チオ-4- メチルバリン- シクロスポリン
3-(2- アゼチジノエチル）チオ-4- メチルバリン- シクロスポリン
3-(2- ピロリジノエチル）チオ-4- メチルバリン- シクロスポリン
3-(2- ピペリジノエチル）チオ-4- メチルバリン- シクロスポリン
3-(2- モルホリノエチル）チオ-4- メチルバリン- シクロスポリン
3-(2- ピペラジノエチル）チオ-4- メチルバリン- シクロスポリン
3-(2-N- メチルピペラジノエチル）チオ-4- メチルバリン- シクロスポリン
3-(2-N-t- ブチルピペラジノエチル）チオ-4- メチルバリン- シクロスポリン
3-(3- アゼチジニル）チオ-4- メチルバリン- シクロスポリン
3-(N- メチル-3- アゼチジニル）チオ-4- メチルバリン- シクロスポリン
3-(N- メチル-3- アゼチジニル）チオ-4- メチルバリン- シクロスポリン
3-(N- イソプロピル-3- アゼチジニル）チオ-4- メチルバリン- シクロスポリン
3-(3- ピロリジニル）チオ-4- メチルバリン- シクロスポリン
3-(N- メチル-3- ピロリジニル）チオ-4- メチルバリン- シクロスポリン
3-(N- メチル-3- ピロリジニル）チオ-4- メチルバリン- シクロスポリン
3-(N- イソプロピル-3- ピロリジニル）チオ-4- メチルバリン- シクロスポリン
3-(4- ピペリジニル）チオ-4- メチルバリン- シクロスポリン
3-(N- メチル-4- ピペリジニル）チオ-4- メチルバリン- シクロスポリン
3-(N- メチル-4- ピペリジニル）チオ-4- メチルバリン- シクロスポリン
3-(N- イソプロピル-4- ピペリジニル）チオ-4- メチルバリン- シクロスポリン
3-(2- ヒドロキシエチル）チオ-4- メチルイソロイシン- シクロスポリン
3-(3- ヒドロキシプロピル）チオ-4- メチルイソロイシン- シクロスポリン
3-(2- アミノエチル）チオ-4- メチルイソロイシン- シクロスポリン
3-(2- メチルアミノエチル）チオ-4- メチルイソロイシン- シクロスポリン
3-(2- エチルアミノエチル）チオ-4- メチルイソロイシン- シクロスポリン
3-(2- エチル-N- メチルアミノエチル）チオ-4- メチルイソロイシン- シクロスポリン
3-(2- ジエチルアミノエチル）チオ-4- メチルイソロイシン- シクロスポリン
3-(2-n- プロピルアミノエチル）チオ-4- メチルイソロイシン- シクロスポリン
3-(2- イソプロピルアミノエチル）チオ-4- メチルイソロイシン- シクロスポリン
3-(2- シクロプロピルアミノエチル）チオ-4- メチルイソロイシン- シクロスポリン
3-(2-n- プロピル- メチルアミノエチル）チオ-4- メチルイソロイシン- シクロスポリン
3-(2-n- プロピル- エチルアミノエチル）チオ-4- メチルイソロイシン- シクロスポリン
3-(2- メチル- イソプロピルアミノエチル）チオ-4- メチルイソロイシン- シクロスポリン
3-(2- メチルシクロプロピルアミノエチル）チオ-4- メチルイソロイシン- シクロスポリン
3-(2- エチル- イソプロピルアミノエチル）チオ-4- メチルイソロイシン- シクロスポリン
3-(2- ジイソプロピルアミノエチル）チオ-4- メチルイソロイシン- シクロスポリン
3-(2-n- プロピル- イソプロピルアミノエチル）チオ-4- メチルイソロイシン- シクロスポリン
3-(2-n- ブチルアミノエチル）チオ-4- メチルイソロイシン- シクロスポリン
3-(2-s- ブチルアミノエチル）チオ-4- メチルイソロイシン- シクロスポリン
3-(2- イソブチルアミノエチル）チオ-4- メチルイソロイシン- シクロスポリン
3-(2-t- ブチルアミノエチル）チオ-4- メチルイソロイシン- シクロスポリン
3-(2-n- ブチル- メチルアミノエチル）チオ-4- メチルイソロイシン- シクロスポリン
3-(2-n- ブチル- エチルアミノエチル）チオ-4- メチルイソロイシン- シクロスポリン
3-(2-n- ブチル- イソプロピルアミノエチル）チオ-4- メチルイソロイシン- シクロスポリン
3-(2-s- ブチル- メチルアミノエチル）チオ-4- メチルイソロイシン−シクロスポリン
3-(2-s- ブチル- エチルアミノエチル）チオ-4- メチルイソロイシン−シクロスポリン
3-(2-s- ブチル- イソプロピルアミノエチル）チオ-4- メチルイソロイシン−シクロスポリン
3-(2-t- ブチル- メチルアミノエチル）チオ-4- メチルイソロイシン- シクロスポリン
3-(2-t- ブチル- エチルアミノエチル）チオ-4- メチルイソロイシン- シクロスポリン
3-(2-t- ブチル- イソプロピルアミノエチル）チオ-4- メチルイソロイシン- シクロスポリン
3-(2- アゼチジノエチル）チオ-4- メチルイソロイシン- シクロスポリン
3-(2- ピロリジノエチル）チオ-4- メチルイソロイシン- シクロスポリン
3-(2- ピペリジノエチル）チオ-4- メチルイソロイシン- シクロスポリン
3-(2- モルホリノエチル）チオ-4- メチルイソロイシン- シクロスポリン
3-(2- ピペラジノエチル）チオ-4- メチルイソロイシン- シクロスポリン
3-(2-N- メチルピペラジノエチル）チオ-4- メチルイソロイシン- シクロスポリン  
3-(2-N-t- ブチルピペラジノエチル）チオ-4- メチルイソロイシン- シクロスポリン
3-(3- アゼチジニル）チオ-4- メチルイソロイシン- シクロスポリン
3-(N- メチル-3- アゼチジニル）チオ-4- メチルイソロイシン- シクロスポリン
3-(N- メチル-3- アゼチジニル）チオ-4- メチルイソロイシン- シクロスポリン
3-(N- イソプロピル-3- アゼチジニル）チオ-4- メチルイソロイシン- シクロスポリン
3-(3- ピロリジニル）チオ-4- メチルイソロイシン- シクロスポリン
3-(N- メチル-3- ピロリジニル）チオ-4- メチルイソロイシン- シクロスポリン
3-(N- メチル-3- ピロリジニル）チオ-4- メチルイソロイシン- シクロスポリン
3-(N- イソプロピル-3- ピロリジニル）チオ-4- メチルイソロイシン- シクロスポリン
3-(4- ピペリジニル）チオ-4- メチルイソロイシン- シクロスポリン
3-(N- メチル-4- ピペリジニル）チオ-4- メチルイソロイシン- シクロスポリン
3-(N- メチル-4- ピペリジニル）チオ-4- メチルイソロイシン- シクロスポリン
3-(N- イソプロピル-4- ピペリジニル）チオ-4- メチルイソロイシン- シクロスポリン
3-(2- ヒドロキシエチル）チオ-8-(D)- セリン- シクロスポリン
3-(3- ヒドロキシプロピル）チオ-8-(D)- セリン- シクロスポリン
3-(2- アミノエチル）チオ-8-(D)- セリン- シクロスポリン
3-(2- メチルアミノエチル）チオ-8-(D)- セリン- シクロスポリン
3-(2- エチルアミノエチル）チオ-8-(D)- セリン- シクロスポリン
3-(2- エチル-N- メチルアミノエチル）チオ-8-(D)- セリン- シクロスポリン
3-(2- ジエチルアミノエチル）チオ-8-(D)- セリン- シクロスポリン
3-(2-n- プロピルアミノエチル）チオ-8-(D)- セリン- シクロスポリン
3-(2- イソプロピルアミノエチル）チオ-8-(D)- セリン- シクロスポリン
3-(2- シクロプロピルアミノエチル）チオ-8-(D)- セリン- シクロスポリン
3-(2-n- プロピル- メチルアミノエチル）チオ-8-(D)- セリン- シクロスポリン
3-(2-n- プロピル- エチルアミノエチル）チオ-8-(D)- セリン- シクロスポリン
3-(2- メチル- イソプロピルアミノエチル）チオ-8-(D)- セリン- シクロスポリン
3-(2- メチルシクロプロピルアミノエチル）チオ-8-(D)- セリン- シクロスポリン  
3-(2- エチル- イソプロピルアミノエチル）チオ-8-(D)- セリン- シクロスポリン
3-(2- ジイソプロピルアミノエチル）チオ-8-(D)- セリン- シクロスポリン
3-(2-n- プロピル- イソプロピルアミノエチル）チオ-8-(D)- セリン- シクロスポリン
3-(2-n- ブチルアミノエチル）チオ-8-(D)- セリン- シクロスポリン
3-(2-s- ブチルアミノエチル）チオ-8-(D)- セリン- シクロスポリン
3-(2- イソブチルアミノエチル）チオ-8-(D)- セリン- シクロスポリン
3-(2-t- ブチルアミノエチル）チオ-8-(D)- セリン- シクロスポリン
3-(2-n- ブチル- メチルアミノエチル）チオ-8-(D)- セリン- シクロスポリン
3-(2-n- ブチル- エチルアミノエチル）チオ-8-(D)- セリン- シクロスポリン
3-(2-n- ブチル- イソプロピルアミノエチル）チオ-8-(D)- セリン- シクロスポリン  
3-(2-s- ブチル- メチルアミノエチル）チオ-8-(D)- セリン−シクロスポリン
3-(2-s- ブチル- エチルアミノエチル）チオ-8-(D)- セリン−シクロスポリン
3-(2-s- ブチル- イソプロピルアミノエチル）チオ-8-(D)- セリン−シクロスポリン
3-(2-t- ブチル- メチルアミノエチル）チオ-8-(D)- セリン- シクロスポリン
3-(2-t- ブチル- エチルアミノエチル）チオ-8-(D)- セリン- シクロスポリン
3-(2-t- ブチル- イソプロピルアミノエチル）チオ-8-(D)- セリン- シクロスポリン  
3-(2- アゼチジノエチル）チオ-8-(D)- セリン- シクロスポリン
3-(2- ピロリジノエチル）チオ-8-(D)- セリン- シクロスポリン
3-(2- ピペリジノエチル）チオ-8-(D)- セリン- シクロスポリン
3-(2- モルホリノエチル）チオ-8-(D)- セリン- シクロスポリン
3-(2- ピペラジノエチル）チオ-8-(D)- セリン- シクロスポリン
3-(2-N- メチルピペラジノエチル）チオ-8-(D)- セリン- シクロスポリン
3-(2-N-t- ブチルピペラジノエチル）チオ-8-(D)- セリン- シクロスポリン
3-(3- アゼチジニル）チオ-8-(D)- セリン- シクロスポリン
3-(N- メチル-3- アゼチジニル）チオ-8-(D)- セリン- シクロスポリン
3-(N- メチル-3- アゼチジニル）チオ-8-(D)- セリン- シクロスポリン
3-(N- イソプロピル-3- アゼチジニル）チオ-8-(D)- セリン- シクロスポリン
3-(3- ピロリジニル）チオ-8-(D)- セリン- シクロスポリン
3-(N- メチル-3- ピロリジニル）チオ-8-(D)- セリン- シクロスポリン
3-(N- メチル-3- ピロリジニル）チオ-8-(D)- セリン- シクロスポリン
3-(N- イソプロピル-3- ピロリジニル）チオ-8-(D)- セリン- シクロスポリン
3-(4- ピペリジニル）チオ-8-(D)- セリン- シクロスポリン
3-(N- メチル-4- ピペリジニル）チオ-8-(D)- セリン- シクロスポリン
3-(N- メチル-4- ピペリジニル）チオ-8-(D)- セリン- シクロスポリン
3-(N- イソプロピル-4- ピペリジニル）チオ-8-(D)- セリン- シクロスポリン
3-(2- ヒドロキシエトキシ）- シクロスポリン
3-(3- ヒドロキシプロポキシ）- シクロスポリン
3-(2- クロロエトキシ）- シクロスポリン
3-(2- ブロモエトキシ）- シクロスポリン
3-(2- ヒドロキシエトキシ）- シクロスポリン
3-(3- クロロプロポキシ）- シクロスポリン
3-(3- ブロモプロポキシ）- シクロスポリン
3-(3- ヒドロキシプロポキシ）- シクロスポリン
3-(3- クロロブトキシ）- シクロスポリン
3-(3- ブロモブトキシ）- シクロスポリン
3-(2- アミノエトキシ）- シクロスポリン
3-(2- メチルアミノエトキシ）- シクロスポリン
3-(2- ジメチルアミノエトキシ）- シクロスポリン
3-(2- エチルアミノエトキシ）- シクロスポリン
3-(2- エチル-N- メチルアミノエトキシ）- シクロスポリン
3-(2- ジエチルアミノエトキシ）- シクロスポリン
3-(2-n- プロピルアミノエトキシ）- シクロスポリン
3-(2- イソプロピルアミノエトキシ）- シクロスポリン
3-(2- シクロプロピルアミノエトキシ）- シクロスポリン
3-(2-n- プロピル- メチルアミノエトキシ）- シクロスポリン
3-(2-n- プロピル- エチルアミノエトキシ）- シクロスポリン
3-(2- メチル- イソプロピルアミノエトキシ）- シクロスポリン
3-(2- シクロプロピルアミノエトキシ）- シクロスポリン
3-(2- エチル- イソプロピルアミノエトキシ）- シクロスポリン
3-(2- ジイソプロピルアミノエトキシ）- シクロスポリン
3-(2-n- プロピル- イソプロピルアミノエトキシ）- シクロスポリン
3-(2-n- ブチルアミノエトキシ）- シクロスポリン
3-(2-s- ブチルアミノエトキシ）- シクロスポリン
3-(2- イソブチルアミノエトキシ）- シクロスポリン
3-(2-t- ブチルアミノエトキシ）- シクロスポリン
3-(2-n- ブチル- メチルアミノエトキシ）- シクロスポリン
3-(2-n- ブチル- エチルアミノエトキシ）- シクロスポリン
3-(2-n- ブチル- イソプロピルアミノエトキシ）- シクロスポリン
3-(2-s- ブチル- メチルアミノエトキシ）−シクロスポリン
3-(2-s- ブチル- エチルアミノエトキシ）−シクロスポリン
3-(2-s- ブチル- イソプロピルアミノエトキシ）−シクロスポリン
3-(2-t- ブチル- メチルアミノエトキシ）- シクロスポリン
3-(2-t- ブチル- エチルアミノエトキシ）- シクロスポリン
3-(2-t- ブチル- イソプロピルアミノエトキシ）- シクロスポリン
3-(2- アゼチジノエトキシ）- シクロスポリン
3-(2- ピロリジノエトキシ）- シクロスポリン
3-(2- ピペリジノエトキシ）- シクロスポリン
3-(2- モルホリノエトキシ）- シクロスポリン
3-(2- ピペラジノエトキシ）- シクロスポリン
3-(2-N- メチルピペラジノエトキシ）- シクロスポリン
3-(2-N- メチルピペラジノエトキシ）- シクロスポリン
3-(2-N- イソプロピルピペラジノエトキシ）- シクロスポリン
3-(3- アゼチジニルオキシ）- シクロスポリン
3-(N- メチル-3- アゼチジニルオキシ）- シクロスポリン
3-(N- イソプロピル-3- アゼチジニルオキシ）- シクロスポリン
3-(N-t- ブチル-3- アゼチジニルオキシ）- シクロスポリン
3-(3- ピロリジニルオキシ）- シクロスポリン
3-(N- メチル-3- ピロリジニルオキシ）- シクロスポリン
3-(N-t- ブチル-3- ピロリジニルオキシ）- シクロスポリン
3-(N- イソプロピル-3- ピロリジニルオキシ）- シクロスポリン
3-(4- ピペリジニルオキシ）- シクロスポリン
3-(N- メチル-4- ピペリジニルオキシ）- シクロスポリン
3-(N- イソプロピル-4- ピペリジニルオキシ）- シクロスポリン
3-(N-t- ブチル-4- ピペリジニルオキシ）- シクロスポリン
3-(2- ヒドロキシエトキシ）- ２- バリン- シクロスポリン
3-(3- ヒドロキシプロポキシ）- ２- バリン- シクロスポリン
3-(2- クロロエトキシ）-2- バリン- シクロスポリン
3-(2- ブロモエトキシ）-2- バリン- シクロスポリン
3-(2- ヒドロキシエトキシ）-2- バリン- シクロスポリン
3-(3- クロロプロポキシ）-2- バリン- シクロスポリン
3-(3- ブロモプロポキシ）-2- バリン- シクロスポリン
3-(3- ヒドロキシプロポキシ）-2- バリン- シクロスポリン
3-(3- クロロブトキシ）-2- バリン- シクロスポリン
3-(3- ブロモブトキシ）-2- バリン- シクロスポリン
3-(2- アミノエトキシ）-2- バリン- シクロスポリン
3-(2- メチルアミノエトキシ）-2- バリン- シクロスポリン
3-(2- ジメチルアミノエトキシ）-2- バリン- シクロスポリン
3-(2- エチルアミノエトキシ）-2- バリン- シクロスポリン
3-(2- エチル-N- メチルアミノエトキシ）-2- バリン- シクロスポリン
3-(2- ジエチルアミノエトキシ）-2- バリン- シクロスポリン
3-(2-n- プロピルアミノエトキシ）-2- バリン- シクロスポリン
3-(2- イソプロピルアミノエトキシ）-2- バリン- シクロスポリン
3-(2- シクロプロピルアミノエトキシ）-2- バリン- シクロスポリン
3-(2-n- プロピル- メチルアミノエトキシ）-2- バリン- シクロスポリン
3-(2-n- プロピル- エチルアミノエトキシ）- ２−バリン- シクロスポリン
3-(2- メチル- イソプロピルアミノエトキシ）-2- バリン- シクロスポリン
3-(2- シクロプロピルアミノエトキシ）-2- バリン- シクロスポリン
3-(2- エチル- イソプロピルアミノエトキシ）-2- バリン- シクロスポリン
3-(2- ジイソプロピルアミノエトキシ）-2- バリン- シクロスポリン
3-(2-n- プロピル- イソプロピルアミノエトキシ）- ２−バリン- シクロスポリン
3-(2-n- ブチルアミノエトキシ）-2- バリン- シクロスポリン
3-(2-s- ブチルアミノエトキシ）-2- バリン- シクロスポリン
3-(2- イソブチルアミノエトキシ）-2- バリン- シクロスポリン
3-(2-t- ブチルアミノエトキシ）-2- バリン- シクロスポリン
3-(2-n- ブチル- メチルアミノエトキシ）-2- バリン- シクロスポリン
3-(2-n- ブチル- エチルアミノエトキシ）-2- バリン- シクロスポリン
3-(2-n- ブチル- イソプロピルアミノエトキシ）-2- バリン- シクロスポリン
3-(2-s- ブチル- メチルアミノエトキシ）-2- バリン−シクロスポリン
3-(2-s- ブチル- エチルアミノエトキシ）-2- バリン−シクロスポリン
3-(2-s- ブチル- イソプロピルアミノエトキシ）-2- バリン−シクロスポリン
3-(2-t- ブチル- メチルアミノエトキシ）-2- バリン- シクロスポリン
3-(2-t- ブチル- エチルアミノエトキシ）-2- バリン- シクロスポリン
3-(2-t- ブチル- イソプロピルアミノエトキシ）-2- バリン- シクロスポリン
3-(2- アゼチジノエトキシ）-2- バリン- シクロスポリン
3-(2- ピロリジノエトキシ）-2- バリン- シクロスポリン
3-(2- ピペリジノエトキシ）-2- バリン- シクロスポリン
3-(2- モルホリノエトキシ）-2- バリン- シクロスポリン
3-(2- ピペラジノエトキシ）-2- バリン- シクロスポリン
3-(2-N- メチルピペラジノエトキシ）-2- バリン- シクロスポリン
3-(2-N- メチルピペラジノエトキシ）-2- バリン- シクロスポリン
3-(2-N- イソプロピルピペラジノエトキシ）-2- バリン- シクロスポリン
3-(3- アゼチジニルオキシ）-2- バリン- シクロスポリン
3-(N- メチル-3- アゼチジニルオキシ）-2- バリン- シクロスポリン
3-(N- イソプロピル-3- アゼチジニルオキシ）-2- バリン- シクロスポリン
3-(N-t- ブチル-3- アゼチジニルオキシ）-2- バリン- シクロスポリン
3-(3- ピロリジニルオキシ）-2- バリン- シクロスポリン
3-(N- メチル-3- ピロリジニルオキシ）-2- バリン- シクロスポリン
3-(N-t- ブチル-3- ピロリジニルオキシ）-2- バリン- シクロスポリン
3-(N- イソプロピル-3- ピロリジニルオキシ）-2- バリン- シクロスポリン
3-(4- ピペリジニルオキシ）-2- バリン- シクロスポリン
3-(N- メチル-4- ピペリジニルオキシ）-2- バリン- シクロスポリン
3-(N- イソプロピル-4- ピペリジニルオキシ）-2- バリン- シクロスポリン
3-(N-t- ブチル-4- ピペリジニルオキシ）-2- バリン- シクロスポリン
3-(2- ヒドロキシエトキシ）-4-(γ- ヒドロキシ−メチルロイシン）- シクロスポリン
3-(3- ヒドロキシプロポキシ）-4-(γ- ヒドロキシ−メチルロイシン）- シクロスポリン
3-(2- クロロエトキシ）-4-(γ- ヒドロキシ−メチルロイシン）- シクロスポリン
3-(2- ブロモエトキシ）-4-(γ- ヒドロキシ−メチルロイシン）- シクロスポリン
3-(2- ヒドロキシエトキシ）-4-(γ- ヒドロキシ−メチルロイシン）- シクロスポリン
3-(3- クロロプロポキシ）-4-(γ- ヒドロキシ−メチルロイシン）- シクロスポリン
3-(3- ブロモプロポキシ）-4-(γ- ヒドロキシ−メチルロイシン）- シクロスポリン
3-(3- ヒドロキシプロポキシ）-4-(γ- ヒドロキシ−メチルロイシン）- シクロスポリン
3-(3- クロロブトキシ）-4-(γ- ヒドロキシ−メチルロイシン）- シクロスポリン  
3-(3- ブロモブトキシ）-4-(γ- ヒドロキシ−メチルロイシン）- シクロスポリン  
3-(2- アミノエトキシ）-4-(γ- ヒドロキシ−メチルロイシン）- シクロスポリン  
3-(2- メチルアミノエトキシ）-4-(γ- ヒドロキシ−メチルロイシン）- シクロスポリン
3-(2- ジメチルアミノエトキシ）-4-(γ- ヒドロキシ−メチルロイシン）- シクロスポリン
3-(2- エチルアミノエトキシ）-4-(γ- ヒドロキシ−メチルロイシン）- シクロスポリン
3-(2- エチル-N- メチルアミノエトキシ）-4-(γ- ヒドロキシ−メチルロイシン）- シクロスポリン
3-(2- ジエチルアミノエトキシ）-4-(γ- ヒドロキシ−メチルロイシン）- シクロスポリン
3-(2-n- プロピルアミノエトキシ）-4-(γ- ヒドロキシ−メチルロイシン）- シクロスポリン
3-(2- イソプロピルアミノエトキシ）-4-(γ- ヒドロキシ−メチルロイシン）- シクロスポリン
3-(2- シクロプロピルアミノエトキシ）-4-(γ- ヒドロキシ−メチルロイシン）- シクロスポリン
3-(2-n- プロピル- メチルアミノエトキシ）-4-(γ- ヒドロキシ−メチルロイシン）- シクロスポリン
3-(2-n- プロピル- エチルアミノエトキシ）-4-(γ- ヒドロキシ−メチルロイシン）- シクロスポリン
3-(2- メチル- イソプロピルアミノエトキシ）-4-(γ- ヒドロキシ−メチルロイシン）- シクロスポリン
3-(2- シクロプロピルアミノエトキシ）-4-(γ- ヒドロキシ−メチルロイシン）- シクロスポリン
3-(2- エチル- イソプロピルアミノエトキシ）-4-(γ- ヒドロキシ−メチルロイシン）- シクロスポリン
3-(2- ジイソプロピルアミノエトキシ）-4-(γ- ヒドロキシ−メチルロイシン）- シクロスポリン
3-(2-n- プロピル- イソプロピルアミノエトキシ）-4-(γ- ヒドロキシ−メチルロイシン）- シクロスポリン
3-(2-n- ブチルアミノエトキシ）-4-(γ- ヒドロキシ−メチルロイシン）- シクロスポリン
3-(2-s- ブチルアミノエトキシ）-4-(γ- ヒドロキシ−メチルロイシン）- シクロスポリン
3-(2- イソブチルアミノエトキシ）-4-(γ- ヒドロキシ−メチルロイシン）- シクロスポリン
3-(2-t- ブチルアミノエトキシ）-4-(γ- ヒドロキシ−メチルロイシン）- シクロスポリン
3-(2-n- ブチル- メチルアミノエトキシ）-4-(γ- ヒドロキシ−メチルロイシン）- シクロスポリン
3-(2-n- ブチル- エチルアミノエトキシ）-4-(γ- ヒドロキシ−メチルロイシン）- シクロスポリン
3-(2-n- ブチル- イソプロピルアミノエトキシ）-4-(γ- ヒドロキシ−メチルロイシン）- シクロスポリン
3-(2-s- ブチル- メチルアミノエトキシ）-4-(γ- ヒドロキシ−メチルロイシン）−シクロスポリン
3-(2-s- ブチル- エチルアミノエトキシ）-4-(γ- ヒドロキシ−メチルロイシン）−シクロスポリン
3-(2-s- ブチル- イソプロピルアミノエトキシ）-4-(γ- ヒドロキシ−メチルロイシン）−シクロスポリン
3-(2-t- ブチル- メチルアミノエトキシ）-4-(γ- ヒドロキシ−メチルロイシン）- シクロスポリン
3-(2-t- ブチル- エチルアミノエトキシ）-4-(γ- ヒドロキシ−メチルロイシン）- シクロスポリン
3-(2-t- ブチル- イソプロピルアミノエトキシ）-4-(γ- ヒドロキシ−メチルロイシン）- シクロスポリン
3-(2- アゼチジノエトキシ）-4-(γ- ヒドロキシ−メチルロイシン）- シクロスポリン
3-(2- ピロリジノエトキシ）-4-(γ- ヒドロキシ−メチルロイシン）- シクロスポリン
3-(2- ピペリジノエトキシ）-4-(γ- ヒドロキシ−メチルロイシン）- シクロスポリン
3-(2- モルホリノエトキシ）-4-(γ- ヒドロキシ−メチルロイシン）- シクロスポリン
3-(2- ピペラジノエトキシ）-4-(γ- ヒドロキシ−メチルロイシン）- シクロスポリン
3-(2-N- メチルピペラジノエトキシ）-4-(γ- ヒドロキシ−メチルロイシン）- シクロスポリン
3-(2-N- メチルピペラジノエトキシ）-4-(γ- ヒドロキシ−メチルロイシン）- シクロスポリン
3-(2-N- イソプロピルピペラジノエトキシ）-4-(γ- ヒドロキシ−メチルロイシン）- シクロスポリン
3-(3- アゼチジニルオキシ）-4-(γ- ヒドロキシ−メチルロイシン）- シクロスポリン
3-(N- メチル-3- アゼチジニルオキシ）-4-(γ- ヒドロキシ−メチルロイシン）- シクロスポリン
3-(N- イソプロピル-3- アゼチジニルオキシ）-4-(γ- ヒドロキシ−メチルロイシン）- シクロスポリン
3-(N-t- ブチル-3- アゼチジニルオキシ）-4-(γ- ヒドロキシ−メチルロイシン）- シクロスポリン
3-(3- ピロリジニルオキシ）-4-(γ- ヒドロキシ−メチルロイシン）- シクロスポリン
3-(N- メチル-3- ピロリジニルオキシ）-4-(γ- ヒドロキシ−メチルロイシン）- シクロスポリン
3-(N-t- ブチル-3- ピロリジニルオキシ）-4-(γ- ヒドロキシ−メチルロイシン）- シクロスポリン
3-(N- イソプロピル-3- ピロリジニルオキシ）-4-(γ- ヒドロキシ−メチルロイシン）- シクロスポリン
3-(4- ピペリジニルオキシ）-4-(γ- ヒドロキシ−メチルロイシン）- シクロスポリン
3-(N- メチル-4- ピペリジニルオキシ）-4-(γ- ヒドロキシ−メチルロイシン）- シクロスポリン
3-(N- イソプロピル-4- ピペリジニルオキシ）-4-(γ- ヒドロキシ−メチルロイシン）- シクロスポリン
3-(N-t- ブチル-4- ピペリジニルオキシ）-4-(γ- ヒドロキシ−メチルロイシン）- シクロスポリン
3-(2- ヒドロキシエトキシ）-2- ノルバリン- シクロスポリン
3-(3- ヒドロキシプロポキシ）-2- ノルバリン- シクロスポリン
3-(2- クロロエトキシ）-2- ノルバリン- シクロスポリン
3-(2- ブロモエトキシ）-2- ノルバリン- シクロスポリン
3-(2- ヒドロキシエトキシ）-2- ノルバリン- シクロスポリン
3-(3- クロロプロポキシ）-2- ノルバリン- シクロスポリン
3-(3- ブロモプロポキシ）-2- ノルバリン- シクロスポリン
3-(3- ヒドロキシプロポキシ）-2- ノルバリン- シクロスポリン
3-(3- クロロブトキシ）-2- ノルバリン- シクロスポリン
3-(3- ブロモブトキシ）-2- ノルバリン- シクロスポリン
3-(2- アミノエトキシ）-2- ノルバリン- シクロスポリン
3-(2- メチルアミノエトキシ）-2- ノルバリン- シクロスポリン
3-(2- ジメチルアミノエトキシ）-2- ノルバリン- シクロスポリン
3-(2- エチルアミノエトキシ）-2- ノルバリン- シクロスポリン
3-(2- エチル-N- メチルアミノエトキシ）-2- ノルバリン- シクロスポリン
3-(2- ジエチルアミノエトキシ）-2- ノルバリン- シクロスポリン
3-(2-n- プロピルアミノエトキシ）-2- ノルバリン- シクロスポリン
3-(2- イソプロピルアミノエトキシ）-2- ノルバリン- シクロスポリン
3-(2- シクロプロピルアミノエトキシ）-2- ノルバリン- シクロスポリン
3-(2-n- プロピル- メチルアミノエトキシ）-2- ノルバリン- シクロスポリン
3-(2-n- プロピル- エチルアミノエトキシ）-2- ノルバリン- シクロスポリン
3-(2- メチル- イソプロピルアミノエトキシ）-2- ノルバリン- シクロスポリン
3-(2- シクロプロピルアミノエトキシ）-2- ノルバリン- シクロスポリン
3-(2- エチル- イソプロピルアミノエトキシ）-2- ノルバリン- シクロスポリン
3-(2- ジイソプロピルアミノエトキシ）-2- ノルバリン- シクロスポリン
3-(2-n- プロピル- イソプロピルアミノエトキシ）-2- ノルバリン- シクロスポリン  
3-(2-n- ブチルアミノエトキシ）-2- ノルバリン- シクロスポリン
3-(2-s- ブチルアミノエトキシ）-2- ノルバリン- シクロスポリン
3-(2- イソブチルアミノエトキシ）-2- ノルバリン- シクロスポリン
3-(2-t- ブチルアミノエトキシ）-2- ノルバリン- シクロスポリン
3-(2-n- ブチル- メチルアミノエトキシ）-2- ノルバリン- シクロスポリン
3-(2-n- ブチル- エチルアミノエトキシ）-2- ノルバリン- シクロスポリン
3-(2-n- ブチル- イソプロピルアミノエトキシ）-2- ノルバリン- シクロスポリン
3-(2-s- ブチル- メチルアミノエトキシ）-2- ノルバリン−シクロスポリン
3-(2-s- ブチル- エチルアミノエトキシ）-2- ノルバリン−シクロスポリン
3-(2-s- ブチル- イソプロピルアミノエトキシ）-2- ノルバリン−シクロスポリン
3-(2-t- ブチル- メチルアミノエトキシ）-2- ノルバリン- シクロスポリン
3-(2-t- ブチル- エチルアミノエトキシ）-2- ノルバリン- シクロスポリン
3-(2-t- ブチル- イソプロピルアミノエトキシ）-2- ノルバリン- シクロスポリン
3-(2- アゼチジノエトキシ）-2- ノルバリン- シクロスポリン
3-(2- ピロリジノエトキシ）-2- ノルバリン- シクロスポリン
3-(2- ピペリジノエトキシ）-2- ノルバリン- シクロスポリン
3-(2- モルホリノエトキシ）-2- ノルバリン- シクロスポリン
3-(2- ピペラジノエトキシ）-2- ノルバリン- シクロスポリン
3-(2-N- メチルピペラジノエトキシ）-2- ノルバリン- シクロスポリン
3-(2-N- メチルピペラジノエトキシ）-2- ノルバリン- シクロスポリン
3-(2-N- イソプロピルピペラジノエトキシ）-2- ノルバリン- シクロスポリン
3-(3- アゼチジニルオキシ）-2- ノルバリン- シクロスポリン
3-(N- メチル-3- アゼチジニルオキシ）-2- ノルバリン- シクロスポリン
3-(N- イソプロピル-3- アゼチジニルオキシ）-2- ノルバリン- シクロスポリン
3-(N-t- ブチル-3- アゼチジニルオキシ）-2- ノルバリン- シクロスポリン
3-(3- ピロリジニルオキシ）-2- ノルバリン- シクロスポリン
3-(N- メチル-3- ピロリジニルオキシ）-2- ノルバリン- シクロスポリン
3-(N-t- ブチル-3- ピロリジニルオキシ）-2- ノルバリン- シクロスポリン
3-(N- イソプロピル-3- ピロリジニルオキシ）-2- ノルバリン- シクロスポリン
3-(4- ピペリジニルオキシ）-2- ノルバリン- シクロスポリン
3-(N- メチル-4- ピペリジニルオキシ）-2- ノルバリン- シクロスポリン
3-(N- イソプロピル-4- ピペリジニルオキシ）-2- ノルバリン- シクロスポリン
3-(N-t- ブチル-4- ピペリジニルオキシ）-2- ノルバリン- シクロスポリン
3-(2- ヒドロキシエトキシ）- ４- メチルバリン- シクロスポリン
3-(3- ヒドロキシプロポキシ）-4- メチルバリン- シクロスポリン
3-(2- クロロエトキシ）-4- メチルバリン- シクロスポリン
3-(2- ブロモエトキシ）-4- メチルバリン- シクロスポリン
3-(2- ヒドロキシエトキシ）-4- メチルバリン- シクロスポリン
3-(3- クロロプロポキシ）-4- メチルバリン- シクロスポリン
3-(3- ブロモプロポキシ）-4- メチルバリン- シクロスポリン
3-(3- ヒドロキシプロポキシ）-4- メチルバリン- シクロスポリン
3-(3- クロロブトキシ）-4- メチルバリン- シクロスポリン
3-(3- ブロモブトキシ）-4- メチルバリン- シクロスポリン
3-(2- アミノエトキシ）-4- メチルバリン- シクロスポリン
3-(2- メチルアミノエトキシ）-4- メチルバリン- シクロスポリン
3-(2- ジメチルアミノエトキシ）-4- メチルバリン- シクロスポリン
3-(2- エチルアミノエトキシ）-4- メチルバリン- シクロスポリン
3-(2- エチル-N- メチルアミノエトキシ）-4- メチルバリン- シクロスポリン
3-(2- ジエチルアミノエトキシ）-4- メチルバリン- シクロスポリン
3-(2-n- プロピルアミノエトキシ）-4- メチルバリン- シクロスポリン
3-(2- イソプロピルアミノエトキシ）-4- メチルバリン- シクロスポリン
3-(2- シクロプロピルアミノエトキシ）-4- メチルバリン- シクロスポリン
3-(2-n- プロピル- メチルアミノエトキシ）-4- メチルバリン- シクロスポリン
3-(2-n- プロピル- エチルアミノエトキシ）-4- メチルバリン- シクロスポリン
3-(2- メチル- イソプロピルアミノエトキシ）-4- メチルバリン- シクロスポリン
3-(2- シクロプロピルアミノエトキシ）-4- メチルバリン- シクロスポリン
3-(2- エチル- イソプロピルアミノエトキシ）-4- メチルバリン- シクロスポリン
3-(2- ジイソプロピルアミノエトキシ）-4- メチルバリン- シクロスポリン
3-(2-n- プロピル- イソプロピルアミノエトキシ）-4- メチルバリン- シクロスポリン
3-(2-n- ブチルアミノエトキシ）-4- メチルバリン- シクロスポリン
3-(2-s- ブチルアミノエトキシ）-4- メチルバリン- シクロスポリン
3-(2- イソブチルアミノエトキシ）-4- メチルバリン- シクロスポリン
3-(2-t- ブチルアミノエトキシ）-4- メチルバリン- シクロスポリン
3-(2-n- ブチル- メチルアミノエトキシ）-4- メチルバリン- シクロスポリン
3-(2-n- ブチル- エチルアミノエトキシ）-4- メチルバリン- シクロスポリン
3-(2-n- ブチル- イソプロピルアミノエトキシ）-4- メチルバリン- シクロスポリン  
3-(2-s- ブチル- メチルアミノエトキシ）-4- メチルバリン−シクロスポリン
3-(2-s- ブチル- エチルアミノエトキシ）-4- メチルバリン−シクロスポリン
3-(2-s- ブチル- イソプロピルアミノエトキシ）-4- メチルバリン−シクロスポリン
3-(2-t- ブチル- メチルアミノエトキシ）-4- メチルバリン- シクロスポリン
3-(2-t- ブチル- エチルアミノエトキシ）-4- メチルバリン- シクロスポリン
3-(2-t- ブチル- イソプロピルアミノエトキシ）-4- メチルバリン- シクロスポリン  
3-(2- アゼチジノエトキシ）-4- メチルバリン- シクロスポリン
3-(2- ピロリジノエトキシ）-4- メチルバリン- シクロスポリン
3-(2- ピペリジノエトキシ）-4- メチルバリン- シクロスポリン
3-(2- モルホリノエトキシ）-4- メチルバリン- シクロスポリン
3-(2- ピペラジノエトキシ）-4- メチルバリン- シクロスポリン
3-(2-N- メチルピペラジノエトキシ）-4- メチルバリン- シクロスポリン
3-(2-N- メチルピペラジノエトキシ）-4- メチルバリン- シクロスポリン
3-(2-N- イソプロピルピペラジノエトキシ）-4- メチルバリン- シクロスポリン
3-(3- アゼチジニルオキシ）-4- メチルバリン- シクロスポリン
3-(N- メチル-3- アゼチジニルオキシ）-4- メチルバリン- シクロスポリン
3-(N- イソプロピル-3- アゼチジニルオキシ）-4- メチルバリン- シクロスポリン
3-(N-t- ブチル-3- アゼチジニルオキシ）-4- メチルバリン- シクロスポリン
3-(3- ピロリジニルオキシ）-4- メチルバリン- シクロスポリン
3-(N- メチル-3- ピロリジニルオキシ）-4- メチルバリン- シクロスポリン
3-(N-t- ブチル-3- ピロリジニルオキシ）-4- メチルバリン- シクロスポリン
3-(N- イソプロピル-3- ピロリジニルオキシ）-4- メチルバリン- シクロスポリン
3-(4- ピペリジニルオキシ）-4- メチルバリン- シクロスポリン
3-(N- メチル-4- ピペリジニルオキシ）-4- メチルバリン- シクロスポリン
3-(N- イソプロピル-4- ピペリジニルオキシ）-4- メチルバリン- シクロスポリン
3-(N-t- ブチル-4- ピペリジニルオキシ）-4- メチルバリン- シクロスポリン
3-(2- ヒドロキシエトキシ）-4- メチルイソロイシン- シクロスポリン
3-(3- ヒドロキシプロポキシ）-4- メチルイソロイシン- シクロスポリン
3-(2- クロロエトキシ）-4- メチルイソロイシン- シクロスポリン
3-(2- ブロモエトキシ）-4- メチルイソロイシン- シクロスポリン
3-(2- ヒドロキシエトキシ）-4- メチルイソロイシン- シクロスポリン
3-(3- クロロプロポキシ）-4- メチルイソロイシン- シクロスポリン
3-(3- ブロモプロポキシ）-4- メチルイソロイシン- シクロスポリン
3-(3- ヒドロキシプロポキシ）-4- メチルイソロイシン- シクロスポリン
3-(3- クロロブトキシ）-4- メチルイソロイシン- シクロスポリン
3-(3- ブロモブトキシ）-4- メチルイソロイシン- シクロスポリン
3-(2- アミノエトキシ）-4- メチルイソロイシン- シクロスポリン
3-(2- メチルアミノエトキシ）-4- メチルイソロイシン- シクロスポリン
3-(2- ジメチルアミノエトキシ）-4- メチルイソロイシン- シクロスポリン
3-(2- エチルアミノエトキシ）-4- メチルイソロイシン- シクロスポリン
3-(2- エチル-N- メチルアミノエトキシ）--4-メチルイソロイシンシクロスポリン  
3-(2- ジエチルアミノエトキシ）-4- メチルイソロイシン- シクロスポリン
3-(2-n- プロピルアミノエトキシ）-4- メチルイソロイシン- シクロスポリン
3-(2- イソプロピルアミノエトキシ）-4- メチルイソロイシン- シクロスポリン
3-(2- シクロプロピルアミノエトキシ）-4- メチルイソロイシン- シクロスポリン
3-(2-n- プロピル- メチルアミノエトキシ）-4- メチルイソロイシン- シクロスポリン
3-(2-n- プロピル- エチルアミノエトキシ）-4- メチルイソロイシン- シクロスポリン
3-(2- メチル- イソプロピルアミノエトキシ）-4- メチルイソロイシン- シクロスポリン
3-(2- シクロプロピルアミノエトキシ）-4- メチルイソロイシン- シクロスポリン
3-(2- エチル- イソプロピルアミノエトキシ）-4- メチルイソロイシン- シクロスポリン
3-(2- ジイソプロピルアミノエトキシ）-4- メチルイソロイシン- シクロスポリン  
3-(2-n- プロピル- イソプロピルアミノエトキシ）-4- メチルイソロイシン- シクロスポリン
3-(2-n- ブチルアミノエトキシ）-4- メチルイソロイシン- シクロスポリン
3-(2-s- ブチルアミノエトキシ）-4- メチルイソロイシン- シクロスポリン
3-(2- イソブチルアミノエトキシ）-4- メチルイソロイシン- シクロスポリン
3-(2-t- ブチルアミノエトキシ）-4- メチルイソロイシン- シクロスポリン
3-(2-n- ブチル- メチルアミノエトキシ）-4- メチルイソロイシン- シクロスポリン  
3-(2-n- ブチル- エチルアミノエトキシ）-4- メチルイソロイシン- シクロスポリン  
3-(2-n- ブチル- イソプロピルアミノエトキシ）-4- メチルイソロイシン- シクロスポリン
3-(2-s- ブチル- メチルアミノエトキシ）-4- メチルイソロイシン−シクロスポリン
3-(2-s- ブチル- エチルアミノエトキシ）-4- メチルイソロイシン−シクロスポリン
3-(2-s- ブチル- イソプロピルアミノエトキシ）-4- メチルイソロイシン−シクロスポリン
3-(2-t- ブチル- メチルアミノエトキシ）-4- メチルイソロイシン- シクロスポリン
3-(2-t- ブチル- エチルアミノエトキシ）-4- メチルイソロイシン- シクロスポリン
3-(2-t- ブチル- イソプロピルアミノエトキシ）-4- メチルイソロイシン- シクロスポリン
3-(2- アゼチジノエトキシ）-4- メチルイソロイシン- シクロスポリン
3-(2- ピロリジノエトキシ）-4- メチルイソロイシン- シクロスポリン
3-(2- ピペリジノエトキシ）-4- メチルイソロイシン- シクロスポリン
3-(2- モルホリノエトキシ）-4- メチルイソロイシン- シクロスポリン
3-(2- ピペラジノエトキシ）-4- メチルイソロイシン- シクロスポリン
3-(2-N- メチルピペラジノエトキシ）-4- メチルイソロイシン- シクロスポリン
3-(2-N- メチルピペラジノエトキシ）-4- メチルイソロイシン- シクロスポリン
3-(2-N- イソプロピルピペラジノエトキシ）-4- メチルイソロイシン- シクロスポリン
3-(3- アゼチジニルオキシ）-4- メチルイソロイシン- シクロスポリン
3-(N- メチル-3- アゼチジニルオキシ）-4- メチルイソロイシン- シクロスポリン
3-(N- イソプロピル-3- アゼチジニルオキシ）-4- メチルイソロイシン- シクロスポリン
3-(N-t- ブチル-3- アゼチジニルオキシ）-4- メチルイソロイシン- シクロスポリン
3-(3- ピロリジニルオキシ）-4- メチルイソロイシン- シクロスポリン
3-(N- メチル-3- ピロリジニルオキシ）-4- メチルイソロイシン- シクロスポリン
3-(N-t- ブチル-3- ピロリジニルオキシ）-4- メチルイソロイシン- シクロスポリン  
3-(N- イソプロピル-3- ピロリジニルオキシ）-4- メチルイソロイシン- シクロスポリン
3-(4- ピペリジニルオキシ）-4- メチルイソロイシン- シクロスポリン
3-(N- メチル-4- ピペリジニルオキシ）-4- メチルイソロイシン- シクロスポリン
3-(N- イソプロピル-4- ピペリジニルオキシ）-4- メチルイソロイシン- シクロスポリン
3-(N-t- ブチル-4- ピペリジニルオキシ）-4- メチルイソロイシン- シクロスポリン
3-(2- ヒドロキシエトキシ）-8-(D)- セリン- シクロスポリン
3-(3- ヒドロキシプロポキシ）-8-(D)- セリン- シクロスポリン
3-(2- クロロエトキシ）-8-(D)- セリン- シクロスポリン
3-(2- ブロモエトキシ）-8-(D)- セリン- シクロスポリン
3-(2- ヒドロキシエトキシ）-8-(D)- セリン- シクロスポリン
3-(3- クロロプロポキシ）-8-(D)- セリン- シクロスポリン
3-(3- ブロモプロポキシ）-8-(D)- セリン- シクロスポリン
3-(3- ヒドロキシプロポキシ）-8-(D)- セリン- シクロスポリン
3-(3- ブロモブトキシ）-8-(D)- セリン- シクロスポリン
3-(3- クロロブトキシ）-8-(D)- セリン- シクロスポリン
3-(2- アミノエトキシ）-8-(D)- セリン- シクロスポリン
3-(2- メチルアミノエトキシ）-8-(D)- セリン- シクロスポリン
3-(2- ジメチルアミノエトキシ）-8-(D)- セリン- シクロスポリン
3-(2- エチルアミノエトキシ）-8-(D)- セリン- シクロスポリン
3-(2- エチル-N- メチルアミノエトキシ）-8-(D)- セリン- シクロスポリン
3-(2- ジエチルアミノエトキシ）-8-(D)- セリン- シクロスポリン
3-(2-n- プロピルアミノエトキシ）-8-(D)- セリン- シクロスポリン
3-(2- イソプロピルアミノエトキシ）-8-(D)- セリン- シクロスポリン
3-(2- シクロプロピルアミノエトキシ）-8-(D)- セリン- シクロスポリン
3-(2-n- プロピル- メチルアミノエトキシ）-8-(D)- セリン- シクロスポリン
3-(2-n- プロピル- エチルアミノエトキシ）-8-(D)- セリン- シクロスポリン
3-(2- メチル- イソプロピルアミノエトキシ）-8-(D)- セリン- シクロスポリン
3-(2- シクロプロピルアミノエトキシ）-8-(D)- セリン- シクロスポリン
3-(2- エチル- イソプロピルアミノエトキシ）-8-(D)- セリン- シクロスポリン
3-(2- ジイソプロピルアミノエトキシ）-8-(D)- セリン- シクロスポリン
3-(2-n- プロピル- イソプロピルアミノエトキシ）-8-(D)- セリン- シクロスポリン  
3-(2-n- ブチルアミノエトキシ）-8-(D)- セリン- シクロスポリン
3-(2-s- ブチルアミノエトキシ）-8-(D)- セリン- シクロスポリン
3-(2- イソブチルアミノエトキシ）-8-(D)- セリン- シクロスポリン
3-(2-t- ブチルアミノエトキシ）-8-(D)- セリン- シクロスポリン
3-(2-n- ブチル- メチルアミノエトキシ）-8-(D)- セリン- シクロスポリン
3-(2-n- ブチル- エチルアミノエトキシ）-8-(D)- セリン- シクロスポリン
3-(2-n- ブチル- イソプロピルアミノエトキシ）-8-(D)- セリン- シクロスポリン
3-(2-s- ブチル- メチルアミノエトキシ）-8-(D)- セリン−シクロスポリン
3-(2-s- ブチル- エチルアミノエトキシ）-8-(D)- セリン−シクロスポリン
3-(2-s- ブチル- イソプロピルアミノエトキシ）-8-(D)- セリン−シクロスポリン
3-(2-t- ブチル- メチルアミノエトキシ）-8-(D)- セリン- シクロスポリン
3-(2-t- ブチル- エチルアミノエトキシ）-8-(D)- セリン- シクロスポリン
3-(2-t- ブチル- イソプロピルアミノエトキシ）-8-(D)- セリン- シクロスポリン
3-(2- アゼチジノエトキシ）-8-(D)- セリン- シクロスポリン
3-(2- ピロリジノエトキシ）-8-(D)- セリン- シクロスポリン
3-(2- ピペリジノエトキシ）-8-(D)- セリン- シクロスポリン
3-(2- モルホリノエトキシ）-8-(D)- セリン- シクロスポリン
3-(2- ピペラジノエトキシ）-8-(D)- セリン- シクロスポリン
3-(2-N- メチルピペラジノエトキシ）-8-(D)- セリン- シクロスポリン
3-(2-N- メチルピペラジノエトキシ）-8-(D)- セリン- シクロスポリン
3-(2-N- イソプロピルピペラジノエトキシ）-8-(D)- セリン- シクロスポリン
3-(3- アゼチジニルオキシ）-8-(D)- セリン- シクロスポリン
3-(N- メチル-3- アゼチジニルオキシ）-8-(D)- セリン- シクロスポリン
3-(N- イソプロピル-3- アゼチジニルオキシ）-8-(D)- セリン- シクロスポリン
3-(N-t- ブチル-3- アゼチジニルオキシ）-8-(D)- セリン- シクロスポリン
3-(3- ピロリジニルオキシ）-8-(D)- セリン- シクロスポリン
3-(N- メチル-3- ピロリジニルオキシ）-8-(D)- セリン- シクロスポリン
3-(N-t- ブチル-3- ピロリジニルオキシ）-8-(D)- セリン- シクロスポリン
3-(N- イソプロピル-3- ピロリジニルオキシ）-8-(D)- セリン- シクロスポリン
3-(4- ピペリジニルオキシ）-8-(D)- セリン- シクロスポリン
3-(N- メチル-4- ピペリジニルオキシ）-8-(D)- セリン- シクロスポリン
3-(N- イソプロピル-4- ピペリジニルオキシ）-8-(D)- セリン- シクロスポリン
3-(N-t- ブチル-4- ピペリジニルオキシ）-8-(D)- セリン- シクロスポリン
３６．シクロフィリン結合に関するテスト：
シクロフィリンに対するテスト化合物の親和性及び抑制を測定するために、Ｈ．Ｆｌｉｒｉ，”Ａｎｔｉｂｉｏｔｉｃｓ  ａｎｄ  Ａｎｔｉｖｉｒａｌ  ｃｏｍｐｏｕｎｄｓ”，１９９３，Ｃｈｅｍｉｅ出版、Ｋ．Ｋｒｏｈｎ，Ｈ．Ａ．Ｋｉｒｓｔ及びＨ．Ｍａａｇ、編集、第２２９〜２４０頁に記載されたテストを使用する。表に示されたテスト化合物の活性を相対ＩＣ５０、すなわちＩＣ５０（シクロスポリンＡ）／ＩＣ５０（テスト化合物）として表現する。
例の生成物                      相対ＩＣ５０（ｎｇ／ｍｌ）
１                                ０．２
２                                ０．２
３                                ０．２
４                                ０．２
５                                ０．２
６                                ０．２
７                                ０．２
８                                ０．４
９                                １
１２                              １．５
１３                              １．５
１４                              ２
１５                              ２
３７．シクロフィリンの抑制に関するテスト
Ｇ．Ｆｉｓｈｅｒ等、Ｂｉｏｍｅｄ．Ｂｉｏｃｈｉｍ．Ａｃｔａ，第４３巻、１１０１〜１１１１（１９８４）に記載されたテストを、使用する。特異的に、組換えヒトシクロフィリン１８の１μＭ溶液５μｌを、１０．０±０．３℃でＨＥＰＥＳ緩衝液１２５０μｌに溶解する。α−キモトリプシンを添加し、３０μＭの最終濃度を生じる。テスト化合物を１０μＭ溶液としてＤＭＳＯに溶解し、酵素溶液に添加し、０．１、０．５、１．０、５．０、１０．０、５０．０、１００．０、５００．０及び１０００n Ｍの最終濃度を生じる。５分の予備インキュベーション後、Ｓｕｃｃ−Ａｌａ−Ｐｈｅ−Ｐｒｏ−Ｐｈｅ−４−ニトロアニリドを添加し、５０μＭの最終濃度を生じる。基質の加水分解を、３９０−４５０ｎＭで分光測光によって測定する。以下のＩＣ５０値が得られる：
例の生成物        名称                              ＩＣ５０［ｎＭ］
シクロスポリンＡ                        12.43 ±0.40
14        3-メトキシ- シクロスポリン                11.57 ±1.59
15        3-エトキシ- シクロスポリン                11.13 ±1.03
16        3-イソプロポキシ- シクロスポリン          20.39 ±1.26
17        3-t-ブトキシ- シクロスポリン              18.94 ±1.03
18        3-アリルオキシ- ブトキシ- シクロスポリン  10.15 ±2.21
３８．ＨＩＶ複製の抑制
Ｒ．Ｐａｕｗｅｌｓ，Ｊ．Ｖｉｏｌ．Ｍｅｔｈｏｄｓ，１９８８，第２０巻、第３０９−３２１頁に記載されているようにＭＴ４  Ｔ  細胞系（ｃｅｌｌ  ｌｉｎｅ）でＨＩＶ−誘発された細胞変性作用へのテスト化合物の抑制性作用を利用する。テスト化合物の活性を、下記の表に示す：
例の生成物                            ＩＣ５０（ｎｇ／ｍｌ）
１                                      ４５０
２                                    １０００
３                                    １０００
４                                    １０００
５                                    １０００
６                                    １０００
７                                    １０００
８                                      ５００
９                                        ３０
１２                                      １５０
１３                                      １５０
１４                                      １００
１５                                        ８０
３９．トキソプラズマ  ゴンジ（ｇｏｎｄｉｉ）に対する活性
マイクロ力価プレートを用いて、Ｔ．ｇｏｎｄｉｉ  ｔａｃｈｙｚｏｌｉｔｅｓ，株ＲＨをテスト化合物の存在下で及び不在下で７２時間フィブロブラスト（ｆｉｂｒｏｂｌａｓｔ）（ＭＲＣ５，Ｂｉｏ−Ｍｅｒｉｅｕｘ）と共にコインキュベート（co-incubated) する。Ｔ．ｇｏｎｄｉｉをＥＬＩＳＡを用いて定量化する。テスト化合物の活性は、以下の通りである。
例の生成物              Ｔ．ｇｏｎｄｉｉに対する活性（IC50、μg/ml) 
９                                    ０．１
１３                                    １
１４                                  ０．６
１５                                  ０．６
４０．抗炎症活性
テスト化合物の抗炎症活性を、Ｐｅｒｓｏｎ，”Ａｒｔｈｒ．Ｒｈｅｕｍ”，１９５９，第２巻、４４０に記載されたアジュバント関節炎テストによって測定する。テスト化合物をオリーブオイル及びトゥーン８０の溶液として経口投与する。その活性はＥＤ５０（ｍｇ／ｋｇ）、すなわち関節の腫れを５０％減少させるのに有効な薬用量として表わされる。
例の生成物                    ＥＤ５０（ｍｇ／ｋｇ）
１                              ２５
２                              ２５
３                              ２５
４                              ２５
５                              ２５
６                              ２５
７                              ２５
８                              ２５
９                              １５
１２                            １５
１３                            １５
１４                            １０
１５                            １５